Podtech/llm-jp-corpus-v4-ja_patent huggingface dataset:
(57)【要約】      （修正有）【課題】少ない部品で、より早くシールドケースを組み立てることができるシールドケースの構造を提供する。【解決手段】電子回路を有する基板２と、前記基板２を収納するケース１と、前記ケース１を覆う蓋７からなるシールドケースであって、前記蓋７は、ケース上部を覆うカバー部８と、前記基板側の面に設けた前記電子回路を仕切る仕切り部９を一体として設けた。【選択図】  図１
2006253539.tif 000002
【特許請求の範囲】
【請求項１】
電子回路を有する基板と、前記基板を収納するケースと、前記ケースを覆う蓋からなるシールドケースであって、前記蓋は、ケース上部を覆うカバー部と、前記基板側の面に設けた前記電子回路を仕切る仕切り部を一体として設けたことを特徴とするシールドケース。
【発明の詳細な説明】
【技術分野】
【０００１】
本発明は、電子機器内の所要回路を外部からの電磁波や磁気からシールドするシールドケースに関するものである。
【背景技術】
【０００２】
電子機器、例えば通信機の通信回路等では、電磁波や磁気が進入するとノイズの原因となる。またそれら電磁はや磁気により、電子機器が誤動作する等の弊害が起こるため、電子機器を保護するよう、それら電磁波や磁気から電子機器をシールドする構造となっている。
【０００３】
図3に電磁波や磁気から電子機器をシールドする従来のシールドケースを示す。
１は電子機器を設けた基板を収納するケース、２は電子機器を設けた基板、３は各電子機器を遮る仕切り部、４は蓋部、５は蓋部と仕切り部３やケース１を固着させるための固着用螺子挿入部、６は電子機器間の電磁波や磁気を遮断するシールド部材である。固着用螺子挿入部5は、蓋部４とケース１、仕切り部３を固着する螺子を挿入する箇所であるため、図示されているように、ケース１と蓋部4が接触する箇所、仕切り部３と蓋部４が接触する箇所に設けることが望ましい。
【０００４】
シールド部材６について図4を用いて説明する。シールド部材６は、仕切り部３やケース２と蓋部４が接触する箇所に例えば図３のように設けられている。これにより、電磁波や磁気を遮断する。このシールド部材6は弾力性のある材質であり、蓋部４を固着する際にシールド部材６が変形し、蓋部４を螺子で固着させた際に、蓋部４とケース１、仕切り部３との隙間を埋める。
【０００５】
ここで、従来のシールドケースの組み立てについて説明する。
従来は、基板２をケース１に収納し、仕切り部3をケースに収納し、基板２及びケース１に固着させる。続いてケース１に蓋部４をかぶせる。ここで、シールド部材６等により、蓋部４が浮かないようにするために、仕切り部3と蓋部４、さらにケース１と蓋部４を、固着用螺子挿入部5を通じて図示しない螺子により螺子止めを行い、固着させる。
【０００６】
シールドケースの構造については、例えば特許文献１に記載されている。
【特許文献１】特開2000-277966号公報  （第１図）
【発明の開示】
【発明が解決しようとする課題】
【０００７】
電子機器、例えば携帯電話の基地局等に用いる増幅器などは、量産化のために組み立て工程の短縮が常々求められている。さらに、コストの削減が求められている。
【課題を解決するための手段】
【０００８】
本発明は上述した課題を達成するために、従来より少ない工程でシールドケースを組み立てることができるシールドケースを提供する。さらに、部品点数削減によるコストの低減が可能なシールドケースを提供する。
【０００９】
即ち、電子回路を有する基板と、前記基板を収納するケースと、前記ケースを覆う蓋からなるシールドケースであって、前記蓋は、ケース上部を覆うカバー部と、前記基板側の面に設けた前記電子回路を仕切る仕切り部を一体として設けたことを特徴とするシールドケースを提供する。
【発明の効果】
【００１０】
本発明によれば、従来より少ない工程でシールドケースを組み立てることができる。さらに、従来より少ない部品点数によりシールドケースを組み立てることができ、結果的にコストの削減が可能となる。
【発明を実施するための最良の形態】
【００１１】
以下、本発明の実施例について図１、図２を参照しつつ説明する。図１、図２において図３及び図４と同符号のものは同様の構成であり、説明を省略する。
【００１２】
図１は本発明のシールドケースである。図３のシールドケースとは蓋部７が異なる。
【００１３】
蓋部７について図２を用いて説明する。図４は、図１の蓋部７の底面斜視図である。
蓋部７は、カバー部８、仕切り部９から構成されており、カバー部８及び仕切り部９は一体型となっている。
ｒ尚、仕切り部９には、従来と同様シールド部材６が設けられている。
【００１４】
蓋部７は、前述したとおりカバー部８及び仕切り部９が一体型となったものである。例えば、一つの型により製造するものである。
蓋部７の固着用螺子挿入部５は図１の通り、ケース１との接触箇所のみに設けられている。
【００１５】
続いて、本発明のシールドケースの組み立てについて説明する。
本発明では、基板２をケース１に収納し、基板２をケース１に固着させる。続いてケース１に蓋部7をかぶせる。ここで、シールド部材６等により、蓋部５が浮かないようにするために、蓋部７とケース１を固着用螺子挿入部5を通じて螺子止めを行う。
【００１６】
以上のように、本発明のシールドケースにより、組み立て工程の削減、具体的には仕切り部と蓋部を予め一体化としておくことにより、仕切り部をケースに固着させる肯定を省略することができる。
さらに、仕切り部が蓋に一体化されているため、仕切り部と蓋を固着させる螺子が必要なくなり、結果的に部品点数削減となり、コストダウンを測ることができる。
【図面の簡単な説明】
【００１７】
【図１】本発明のシールドケース。
【図２】本発明のシールドケースの蓋部。
【図３】従来のシールドケース。
【図４】シールド部材。
【符号の説明】
【００１８】
１…ケース
２…基板
３…仕切り部
４…従来の蓋部
５…固着用螺子挿入部
６…シールド部材
７…本発明の蓋部
８…蓋部７のカバー部
９…蓋部７の仕切り部
【図１】
2006253539.tif 000003
【図２】
2006253539.tif 000004
【図３】
2006253539.tif 000005
【図４】
2006253539.tif 000006
(57)【要約】【課題】        鉄道車輌の脱線事故を、運転手の技量に頼ることなく、自己完結的に車輌の構造によって事故を未然に防ぐことを課題とする。。【解決手段】  空力抵抗の生じるフラップを車輌上部の左右に取り付け、走行中に車軸と車輌との角度が一定以上になったときに、自動的に片側のフラップを上げ、空気抵抗により脱輪を未然に防止する。本発明が動作した状態では浮こうとする側の車輌が線路に空力により押し付けられ、運転手の技量に関係なく車輌を安定させることができる。又、直進時においても車輌が制限速度を超過した時点において両側のフラップが上がる事により車輌の速度を減速し事故を未然に防ぐ。【選択図】        図２
2006151392.tif 000002
【特許請求の範囲】
【請求項１】
鉄道用車輌の屋根上部に設置する、可動式且つ左右分割式の鉄道用車輌制御用フラップの構造
【発明の詳細な説明】
【技術分野】
【０００１】
本発明は鉄道用車輌の屋上に、車輌を減速あるいは車輌の安定性を増すための、空気抵抗を利用する左右分割型のフラップを設け作動させ、脱線及び転覆防止を目的とした車輌制御用フラップの構造に関するものである。
【背景技術】
【０００２】
従来の鉄道用車輌は軽量化された上で、高スピード化されている為、カーブや線路上の小さい障害物でも車輪が線路に乗り上げ脱輪し脱線転覆する可能性がある。本発明は車輌の屋上に車輌の重心移動させるフラップを設け脱輪及び脱線転覆を未然に防ぐ効果を目的としたものである。自動車用には可動式のフラップがあるが鉄道車輌用の物は存在しなかった。
【特許文献１】平成公開平８−１９２７７５
【発明の開示】
【発明が解決しようとする課題】
【０００３】
鉄道車輌の脱線事故を、運転手の技量に頼ることなく、自己完結的に車輌の構造によって事故を未然に防ぐことを課題とする。
【課題を解決するための手段】
【０００４】
空力抵抗の生じる左右分割型のフラップを車輌上部に取り付け、走行中に車軸と車輌との角度が一定以上になった時、あるいは、制限速度以上になった時に、自動的に片側又は両側のフラップを上げ、空気抵抗により脱輪を未然に防止する。
【発明の効果】
【０００５】
本発明の車輌は、車輌上部に設置された複数枚のフラップを角度調整する事により、フラップが受ける空気抵抗を利用し車輌全体の重心を下方及び左下又は右下に移動する事により、車輌安定性を制御あるいは車輌を減速させ、鉄道用車輌の脱線及び転覆を未然に防ぐことが出来る。
【実施例】
【０００６】
実施例を図１及び図２を用いて説明する。
図１及び図３は当発明のフラップを取り付けた鉄道用車輌の通常走行中の状態を表した図である。フラップは車輌の屋根内部に収納され空気抵抗を受けないので車輌に走行には一切の影響を与えない。図２及び図４は走行中に本発明のフラップを取り付けた車輌がフラップを上げ、車輌を制御している状態の図である。車軸と車輌の作る角度が一定以上になった場合にフラップが上がり空気抵抗により、浮こうとする方の車輪を線路に押し付け脱線を未然に防止する。図５は車輌が制限速度を超えた時に自動的に両側のフラップが上がり空気抵抗により車輌を減速している状態を表す正面図である。図６は可動フラップ部分の詳細図である。
【図面の簡単な説明】
【０００７】
【図１】当発明を適用した車輌の通常走行時の側面図である。
【図２】当発明を適用した車輌のフラップ動作時の側面図である。
【図３】当発明を適用した車輌の通常走行時の正面図である。
【図４】当発明を適用した車輌の片側のフラップが動作した状態の正面図である。
【図５】当発明を適用した車輌の両側のフラップが動作した状態の正面図である。
【図６】当発明を適用した車輌の可動フラップ部分の詳細図である。
【符号の説明】
【０００８】
１  鉄道用車輌本体
２  可動フラップ
【図１】
2006151392.tif 000003
【図２】
2006151392.tif 000004
【図３】
2006151392.tif 000005
【図４】
2006151392.tif 000006
【図５】
2006151392.tif 000007
【図６】
2006151392.tif 000008
(57)【要約】【課題】  車輌用アクスルプレートのパーツ点数が多すぎて、個々のパーツを組み付けるスペースも必要でデザイン上も不都合なのでこれらの解消等。【解決手段】  アクスルプレート１に、弾性体ウレタンスプリング３などをスプリングホルダー２に埋め込み、アクスルプレートアダプター４を一体化してフレーム６と直接取り付けることにより、この課題を解決する。【選択図】  図１
2006151345.tif 000002
【特許請求の範囲】
【請求項１】
車輌用のアクスルプレートに１個もしくは複数の弾性体、ウレタンスプリングなどを埋め込み、アダプターにかかる衝撃力を緩衝させる装置。
【発明の詳細な説明】
【技術分野】
【０００１】  本発明は、車輌に使用する緩衝装置付アクスルプレートに関する。
【背景技術】
【０００２】  従来は車輌ルーム、スイングアーム、緩衝装置は個々の物でそれぞれを組み合わせて使用していた。
【発明の開示】
【発明が解決しようとする課題】
【０００３】  しかし、これでは、パーツ点数が多い上、個々のパーツを組み付けるスペースも必要となり、デザイン上からも複雑化して不便である。
【課題を解決するための手段】
【０００４】    そこで、アクスルプレートに弾性体、ウレタンスプリングなどと、アダプターを一体化し、フレームと直接取り付けるようにした。
【発明の効果】
【０００５】    よって、本発明のアクスルプレートにより、パーツ点数の減少、省スペース化、車輌デザインの自由度をアップすることができる。
【発明を実施するための最良の形態】
【０００６】  本発明に係るアクスルプレート１は図１に示すように、弾性体ウレタンスプリング３などを埋め込み、アクスルプレートアダプター４にかかる衝撃力を緩衝させることができる装置である。
【図面の簡単な説明】
【０００７】
【図３】  本発明に係るアクスルプレートを、車輌に使用した状態の図である。
【符号の説明】
【０００８】  １        アクスルプレート
２        弾性体埋め込みホルダー
３        弾性体
４        アクスルプレートアダプター
５        汎用穴
【図１】
2006151345.tif 000003
【図２】
2006151345.tif 000004
【図３】
2006151345.tif 000005
【手続補正書】
【提出日】平成17年1月26日(2005.1.26)
【手続補正１】
【補正対象書類名】明細書
【補正対象項目名】０００７
【補正方法】変更
【補正の内容】
【０００７】
【図１】車輌用のアクスルプレートの斜視図である。
【図２】車輌用のアクスルプレートの分解斜視図である。
【図３】本発明に係る車輌用アクスルプレートを、車輌に使用した状態の斜視図である。
(57)【要約】      （修正有）【課題】車輌等のウインドーガラスを拭くワイパー装置で、拭き取れない部分を少なくする。【解決手段】メインアーム３が動くと同時にドライブアーム５が逆方向に動き、さらにサブアーム８が動くことにより、ワイパーブレード９が左右にウインドーガラス上を移動し、拭き取り面積の増加を得る。【選択図】 図１
2006151348.tif 000002
【特許請求の範囲】
【請求項１】
ワイパーブレードが平行に左右移動するワイパー装置。
【請求項２】
前記ワイパーブレードがサブアームの動きにより、ワイパーブレードが左右に動く特徴とする請求項１記載のイパー装置。
【請求項３】
前記サブアームはリレーロットを介してＢシャフトの動きでサブアームが左右に動く特徴とする請求項１記載のワイパー装置。
【請求項４】
Ａシャフトの動きでメインアームが左右に移動し、Ｂシャフトの動きでサブアームが左右に動く特徴とする請求項１記載のワイパー装置。
【発明の詳細な説明】
【技術分野】
【０００１】  この発明は車輌等のワイパーリンケージの形状と動作に関する。
【背景技術】
【０００２】  従来のワイパーリンケージの形状と動作は図３に示すように、ワイパーアームを介して、ワイパーブレードが円を描きながら左右に動くものである。
【発明の開示】
【発明が解決しようとする課題】
【０００３】  しかしながら、以上の技術によればワイパーブレードで拭き取れない部分があり、自動車のリヤワイパーに関しては特に多い。【０００４】  そこでこの発明はワイパーブレードを左右に平行に移動させることで、拭き取れない部分を少減させることを提供することを課題とする。
【課題を解決するための手段】
【０００５】  以上の課題を解決するために、第一発明はメインアームにサブアームを設けたことを特徴とするワイパー装置。【０００６】  また第二発明はメインアームにサブアームを設け、このサブアームがＢシャフトの動きで左右に動くことでワイパーブレードが左右に平行に移動する特徴とするワイパー装置。
【発明の効果】
【０００７】  第一発明、または第二発明によれば、ワイパーブレードで拭き取り部分が大幅に増大する。
【発明を実施するための最良の形態】
【０００８】  この発明の実施形態を図１〜図２で示す。
図においては１、Ａシャフト２、Ｂシャフトはワイパーモーターの駆動軸で、１、Ａシャフトの動きと２、Ｂシャフトの動きは逆に動く。【０００９】  １、Ａシャフトに３、メインアームが固定、２、Ｂシャフトに５、ドライブアームが固定、７、ドリブンアームに８、サブアームが固定。【００１０】  ２、Ｂシャフトと４、メインアームガイド間は自由に動く。【００１１】    以下、上記構成の動作を説明する。図１〜図２において１、Ａシャフトに固定された３、メインアームが動くと同時に２、Ｂシャフトに固定された５、ドライブアームが１、Ａシャフトと反対方向に動く。【００１２】  さらに５、ドライブアームは、６、リレーロット、７、ドリブンロット、を介して８、サブアームを動き９、ワイパーブレードが動く。
【図面の簡単な説明】
【００１３】
【図１】    本発明の実施形態を示すスライドワイパーの平面図
【図２】    同スライドワイパーの動作した平面図
【図３】    従来技術を示すワイパー装置の平面図
【記号の説明】
【００１４】１  Ａシャフト
２  Ｂシャフト
３  メインアーム
４  メインアームガイド
５  ドライブアーム
６  リレーロット
７  ドリブンアーム
８  サブアーム
９  ワイパーブレード
【図１】
2006151348.tif 000003
【図２】
2006151348.tif 000004
【図３】
2006151348.tif 000005
(57)【要約】【課題】        ２輪車の盗難はそのほとんどが、当該車両に乗っての乗り逃げであり、それを防止するために乗車が非常に困難な構造のサドルカバーを提供することを課題とする。【解決手段】  走行中は荷台として利用でき、尚且つ突起物を設けることにより、フックとして荷物を固定でき、駐輪中は本発明品をサドルに被せ、施錠することにより突起物が上方を向き乗車不能になり盗難防止の効果のあるサドルカバーを提供する。２輪車に本発明のサドルカバーを取り付けることにより、２輪車の盗難を未然に防止し、荷物の置き忘れも防止する。【選択図】        図２
2006151379.tif 000002
【特許請求の範囲】
【請求項１】
サドルカバーに盗難防止及び荷物固定用の突起物を設け、２輪車の盗難防止機能のあるサドルカバーの構造
【発明の詳細な説明】
【技術分野】
【０００１】
本発明は、盗難防止及び荷台の機能を兼ね備えたサドルカバーの構造に関するものである。
【背景技術】
【０００２】
従来のサドルカバーは大半がビニール等でサドルを覆い、雨等からサドルを保護するのが主目的であった。一部にはカバーをスライドあるいは回転させてサドルを保護する機能を持つ製品もあった。２輪車両の盗難防止を主目的とし、尚且つサドルの保護及び荷台としての機能を持たせたサドルカバーは存在しなかった。
【特許文献１】特許公開平９−２９０７８１
【発明の開示】
【発明が解決しようとする課題】
【０００３】
２輪車の盗難はそのほとんどが、当該車両に乗っての乗り逃げであり、それを防止するために乗車が非常に困難な構造のサドルカバーを提供することを課題とする。
【課題を解決するための手段】
【０００４】
走行中は荷台として利用でき、尚且つ突起物を設けることにより、フックとして荷物を固定でき、駐輪中は本発明品をサドルに被せ、施錠することにより突起物が上方を向き乗車不能になり盗難防止の効果のあるサドルカバーを提供する。
【発明の効果】
【０００５】
２輪車に本発明のサドルカバーを取り付けることにより、走行中は荷台として利用し、駐輪中は乗車しての盗難が困難な構造のサドルカバーとなる。このことにより、２輪車の盗難を未然に防止し、荷物の置き忘れも防止する。
【実施例】
【０００６】
実施例を図１及び図２を用いて説明する。
図１は走行中の本発明品の状態を表した図である。硬質の材料を用いた荷台兼用カバー１を荷台として利用し、突起物３を荷物固定用フックとして使用可能な状態を表す。図２は駐輪中の本発明品の状態を表した図であり、荷台兼用カバー１をサドルに被せ、施錠することにより盗難を未然に防ぐ
【図面の簡単な説明】
【０００７】
【図１】当発明を適用した盗難防止兼用サドルカバーの走行中の状態を表す図である。
【図２】当発明を適用した盗難防止兼用サドルカバーの駐輪中の状態を表す図である。
【図３】当発明を適用した盗難防止兼用サドルカバーの平面図である。
【図４】当発明を適用した盗難防止兼用サドルカバーのカバーとしての使用時における平面図である。
【符号の説明】
【０００８】
１  荷台兼用カバー
２  アーム
３  フック
４  ストッパー
５  サドル
６  サドル取付パイプ
【図１】
2006151379.tif 000003
【図２】
2006151379.tif 000004
【図３】
2006151379.tif 000005
【図４】
2006151379.tif 000006
(57)【要約】【課題】段ボール箱に備える無線タグを、流通過程において破損しないようにする。【解決手段】波状の段目を有する中しん６にライナ７を貼り付けた段ボールシートから成り、段ボールシートに押圧による罫線８を入れ、罫線８沿いに段ボールシートを折り曲げて組み立てる段ボール箱において、スティック状のＩＣタグ９を、段ボールシートの端面から段目に沿って中しん６とライナ７の隙間に挿入する。ＩＣタグ９の表面には、内容物や他の箱が触れなくなるので、流通過程におけるＩＣタグ９の破損が防止され、データの読み取りや書き込みに際し、障害が生じにくくなる。【選択図】図１
2006151402.tif 000002
【特許請求の範囲】
【請求項１】
波状の段目を有する中しんにライナを貼り付けた段ボールシートから成り、段ボールシートに押圧による罫線を入れ、罫線沿いに段ボールシートを折り曲げて組み立てる段ボール箱において、スティック状の無線タグを、段ボールシートの端面から段目に沿って中しんとライナの隙間に挿入したことを特徴とする段ボール箱。
【請求項２】
請求項１に記載の段ボール箱において、無線タグを挿入した段ボールシートの端面を閉じて、無線タグが飛び出さないようにしたことを特徴とする段ボール箱。
【発明の詳細な説明】
【技術分野】
【０００１】
この発明は、非接触でデータの送受信が可能なＩＣタグ等の無線タグを取り付けた段ボール箱に関するものである。
【背景技術】
【０００２】
近年、物流管理の手段として、商品を収納する段ボール箱に非接触でデータの送受信が可能なＩＣタグを取り付けることが考えられている。このＩＣタグは、データを格納するＩＣチップと、通信用のアンテナとから構成され、ＩＣチップに記録したデータを、流通の各段階で読み取ることができるだけでなく、書き換えることもできる。
【発明の開示】
【発明が解決しようとする課題】
【０００３】
しかしながら、このような無線タグを段ボール箱の壁面に無造作に取り付けた場合、その取付位置によっては、内容物との接触や他の箱との接触によって無線タグが破損する恐れがあると考えられる。
【０００４】
そこで、この発明は、段ボール箱に備える無線タグを、流通過程において破損しないようにすることを課題とする。
【課題を解決するための手段】
【０００５】
上記課題を解決するため、この発明は、波状の段目を有する中しんにライナを貼り付けた段ボールシートから成り、段ボールシートに押圧による罫線を入れ、罫線沿いに段ボールシートを折り曲げて組み立てる段ボール箱において、スティック状の無線タグを、段ボールシートの端面から段目に沿って中しんとライナの隙間に挿入したのである。
【０００６】
また、この段ボール箱において、無線タグを挿入した段ボールシートの端面を閉じて、無線タグが飛び出さないようにしたのである。
【発明の効果】
【０００７】
このように、段ボールシートの段目に沿って中しんとライナの隙間に無線タグを挿入すると、無線タグの表面には、内容物や他の箱が触れなくなるので、流通過程における無線タグの破損が防止され、データの読み取りや書き込みに際し、障害が生じにくくなる。
【発明を実施するための最良の形態】
【０００８】
まず、この発明の第１実施形態を図１及び図２に基づいて説明する。
【０００９】
図１に示すように、この段ボール箱は、通常の溝切り形のものであり、各一対の長面及び幅面の側板１，２を連設し、一端の側板１に連設した継代片３を、他端の側板２に貼り付けて周壁を形成し、側板２及び側板１からそれぞれ延びるフラップ４，５を重ね合わせて、底面及び天面を閉止する構成とされている。
【００１０】
この段ボール箱の材料である段ボールシートは、波状の段目を有する中しん６の両面にライナ７を貼り付けたものであり、その段目は側板１，２の上下方向に向いている。側板１，２とフラップ４，５の境界をなす罫線８は、段目に直交して、裏側のライナ7を表側のライナ７に押し付け、中しん６の段を潰すことにより入れられている。
【００１１】
この段ボール箱による物品の梱包に際しては、封緘前のフラップ５において、図２に示すように、スティック状のＩＣタグ９を、段ボールシートの端面から段目に沿って中しん６とライナ７の隙間に挿入する。
【００１２】
ＩＣタグ９としては、それ自体がスティック状となったものや、ＩＣチップ及びアンテナを備えた薄片をカプセルに封入したものを使用する。ＩＣタグ９の外径は、中しん６の段の大きさよりも小さいものとする。
【００１３】
このようなＩＣタグ９は、段ボールシートの段目に沿って下降するが、図３に示すように、罫線８の位置において、中しん６の段が潰されて両面のライナ７が接近し、ＩＣタグ９が通過できなくなっているので、ＩＣタグ９の罫線８を超えた下降が阻止される。
【００１４】
そして、物品を箱内に収納した後、図４に示すように、フラップ４，５を閉じて、対向するフラップ５の突合部に粘着テープ１０を貼着して封緘すると、段ボールシートの端面が閉じられるので、フラップ５からのＩＣタグ９の飛び出しが防止される。
【００１５】
このように、段ボールシートの段目に沿ってスティック状のＩＣタグ９を挿入すると、ＩＣタグ９の表面には、内容物や他の箱が触れなくなるので、流通過程におけるＩＣタグ９の破損が防止され、データの読み取りや書き込みに際し、障害が生じにくくなる。
【００１６】
また、段ボール箱を廃棄する際には、粘着テープ１０を剥がしてフラップ５を開き、箱の天地を反転させると、ＩＣタグ９を段ボール箱から容易に分離することができ、ＩＣタグ９が段ボールのリサイクルの妨げになることがない。
【００１７】
なお、ＩＣタグ９を、段ボールシートの突合面ではなく、露出したままとなる端面から挿入する場合には、ＩＣタグ９の挿入後、段ボールシートの端面を塞ぐように粘着テープを貼り付けたり、中しん６とライナ７の隙間に紙玉、プラスチック玉、発泡ビーズなどを詰めたりすれば、段ボールシートからのＩＣタグ９の飛び出しを防止できる。
【００１８】
また、段ボールシートの端部付近において、押圧による罫線を入れたり、ライナ７の一定範囲を強く押圧したりして、中しん６の段を潰しても、ＩＣタグ９の飛び出しを防止することができる。
【図面の簡単な説明】
【００１９】
【図１】段ボール箱のフラップにＩＣタグを挿入する状態を示す斜視図
【図２】同上の部分拡大斜視図
【図３】同上のＩＣタグの挿入状態を示す拡大縦断側面図
【図４】同上の段ボール箱の封緘状態を示す斜視図
【符号の説明】
【００２０】
１，２  側板
３  継代片
４，５  フラップ
６  中しん
７  ライナ
８  罫線
９  ＩＣタグ
【図１】
2006151402.tif 000003
【図２】
2006151402.tif 000004
【図３】
2006151402.tif 000005
【図４】
2006151402.tif 000006
(57)【要約】【課題】  木耳の持つ粘性を低下させ、パスタ・そば・うどん・かん麺類、ドレッシング・マヨネーズ類、胡麻豆腐・卵豆腐・茶碗蒸類、クッキー・ケーキ・パン類、こんにゃく・とうふ類、スープ等の混合比率は、従来、粘度・溶解度が障害となり、少量しか混合する事が出来なかった。この問題を解決するには、粘度は小さく・滑らかな・溶解度の大きい木耳ペ−スト・粉体を製造する必要がある。【解決手段】  本発明では、植物組織崩壊酵素・繊維素分解酵素・細胞壁溶解酵素を用いて、不溶性多糖類・水溶性多糖類・粘質多糖類の物性をコントロールし木耳の持つ粘性を低下させ、溶解度を大きくて、吸収を良くする為に、植物組織崩壊酵素・繊維素分解酵素・細胞壁溶解酵素を用いて、木耳に含まれる粘質多糖類組織・植物繊維素の崩壊・軟化・単細胞化し、物性をコントロールすれば、食品製造過程上で、多量の混合が可能な木耳ペースト・粉体を製造する事が出来る。【選択図】  なし【特許請求の範囲】
木耳は漢方・薬膳で古くから用いられ、その効用は重視されていた。日本食品標準成分表から、きのこ類の中では、黒木耳・白木耳共に無機質・ビタミンを多く含み脂肪酸は少なく食物繊維は５０％を越えている。食物繊維のみを見てみると寒天に次いで多く食物中第２位。カルシウム・カリウム・鉄はひじきに次いで多い。ビタミンＤは、椎茸をはるかに越える多さです。
現在日本人の女性には、カルシウム不足からの骨粗鬆症、特にカルシウムの体内への吸収にはビタミンＤが必要不可欠と言われています。食物繊維の不足からの便秘・そして肥満、鉄分不足の貧血。木耳はこれらを解消するに必要な栄養素を持ち合わせた食品です。又、木耳の食物繊維には多くの粘質多糖類を含むが、この成分の中にコレステロール値を下げ、動脈硬化、高血圧の予防、老化を防ぐとも言われています。
このバランスの良さを見て、毎日相当定量の木耳を摂取する事が有効であることが理解できる。これには木耳の物性をコントロールして、食品製造過程に於いて混合する木耳の量を増やさなければ、期待する効果は得られない。
本発明では、植物組織崩壊酵素・繊維素分解酵素・細胞壁溶解酵素を用いて、不溶性多糖類・水溶性多糖類・粘質多糖類の組織の崩壊・単細胞化・軟化させ物性をコントロールし、パスタ・そば・かん麺類、ドレッシング・マヨネーズ類、胡麻豆腐・卵豆腐・茶碗蒸類、クッキー・ケーキ・パン・あめ・菓子類、こんにゃく・とうふ類、スープ類、おかゆ類等の製造過程に於いて、混合を自由にコントロール可能にした木耳ペースト・粉体の製造法。
【発明の詳細な説明】
【発明の詳細な説明】
【技術分野】
【０００１】  本発明は、木耳を植物組織崩壊酵素・繊維素分解酵素・細胞壁溶解酵素を用いて、可溶性食物繊維・粘質多糖類・不溶性食物繊維組織の崩壊・軟化・単細胞化等、物性をコントロールして必要量を混合可能にした木耳ペースト・粉体の製造法。
【背景技術】
【０００２】  従来、木耳は、中華料理の一部として使われ、日本料理ではがんもどき，かまぼこ等の具の一つとして使われてきた。その栄養素の高さ・体内で食物繊維の働き等から１０〜２０ｇの木耳を継続して摂取する事で健康維持に有効である事が解るが、粘度・溶解度が障害となり食品製造過程で、少量の混合しか出来なかった。これでは、出来上がった食品から多量の木耳を摂取する事は困難であった。
【発明が解決しようとする課題】
【０００３】  木耳の持つ粘性を低下させ、パスタ・そば・うどん・かん麺類、ドレッシング・マヨネーズ類、胡麻豆腐・卵豆腐・茶碗蒸類、クッキー・ケーキ・パン類、こんにゃく・とうふ類、スープ等の混合比率は、従来、粘度・溶解度が障害となり、少量しか混合する事が出来なかった。この問題を解決するには、粘度は小さく・滑らかな・溶解度の大きい木耳ペースト・粉体を製造する必要がある。
【課題を解決するための手段】
【０００４】  本発明では、植物組織崩壊酵素・繊維素分解酵素・細胞壁溶解酵素を用いて、不溶性多糖類・水溶性多糖類・粘質多糖類の物性をコントロールし木耳の持つ粘性を低下させ、溶解度を大きくて、吸収を良くする為に、植物組織崩壊酵素・繊維素分解酵素・細胞壁溶解酵素を用いて、木耳に含まれる粘質多糖類組織・植物繊維素の崩壊・軟化・単細胞化し、物性をコントロールすれば、食品製造過程上で、多量の混合が可能な木耳ペースト・粉体を製造する事が出来る。
【発明を実施するための最良の形態】
【０００５】  次に、本発明の実施の形態について実験結果を例にあげて説明する。
例１
木耳チップ１０ＫｇをＰＨ４．５のリンゴ酸溶液５０Ｌに入れ、次に繊維素分解酵（キシラナーゼ）セルロシンＨＣ１００・２５ｇ（０．０５％）を添加し，５０℃の恒温室で１５時間作用させ、乾燥・粉砕する。
例２
白木耳チップ１０ＫｇをＰＨ５．５のクエン酸溶液５０Ｌにいれ植物組織崩壊酵素マセロチームＡ・２５ｇと繊維素分解酵素セルラーゼＹ−ＮＣ・２５ｇを添加して、４０℃恒温室で６０分作用させた後、クエン酸ナトリウムで中和して、乾燥・粉砕する。
例３
予め粉砕した木耳１０ｋｇをＰＨ５に調整したクエン酸水溶液６Ｌの中に入れる。次に植物組織崩壊酵素マセロチームＡ・２５ｇと繊維素分解酵素セルラーゼ“オノズカ”３Ｓ・２５ｇを添加して５０℃の恒温室で５〜８時間作用させた後、クエン酸ナトリウムで中和して、木耳ペースにする
【発明の効果】
【０００６】  食物繊維の一日必要量は２０〜２５ｇ、日本人は平均５ｇ不足していると言われている食物繊維は不溶性食物繊維を中心とした吸着による排泄促進作用、また可溶性食物繊維摂取量の増加により、腸内容物の移動促進作用の結果として刺激緩和などによる大腸がん発症や大腸憩室の抑制作用等の作用効果が認められます。
現在日本人の女性には、カルシウム不足からの骨粗鬆症、特にカルシウムの体内への吸収にはビタミンＤが必要不可欠と言われています。食物繊維の不足からの便秘・そして肥満、鉄分不足の貧血。
食物中木耳の食物繊維は寒天に次いで多く  ５０％を越えています。無機質・ビタミン類は、カルシウム・カリウム・鉄・ビタミンＤは、食物中１・２位の多さです。
木耳はこれらを解消するに必要な栄養素を持ち合わせた食品です。
本発明では、植物組織崩壊酵素・繊維素分解酵素・細胞壁溶解酵素を用いて、不溶性多糖類・水溶性多糖類・粘質多糖類の物性をコントロール又、細胞壁溶解酵素を作用させ、体内への吸収率上げた木耳を必要量を厭きずに継続して摂取可能に健康管理・健康維持に大きく貢献する事が出来ます。
(57)【要約】      （修正有）【課題】ビタミン剤による治療においては、痴呆治療剤、更年期障害の治療薬、精神安定チューインガムなどがあるが、健康食品としても用いられる安全性の高いビタミンとミネラルを主成分とする睡眠剤を提供する。【解決手段】ビタミンCとカルシウムを同時に大量服用することにより、睡眠効果があることを見出した。すなわち、ビタミンCとカルシウムをそれぞれ500mg以上含有することを特徴とした睡眠剤。【選択図】なし【特許請求の範囲】
【請求項１】
主にビタミンCとカルシウムをそれぞれ500mg以上含有する
ことを特徴とした睡眠剤。
【請求項２】
ビタミンCとカルシウムの割合が１：１±40%であり、１回の摂取量が1000mg以上である
ことを特徴とした請求項１に記載の睡眠剤。
【請求項３】
飲物に請求項１に記載の睡眠剤を配合した
ことを特徴とした睡眠導入飲料。
【発明の詳細な説明】
【技術分野】
【０００１】
この発明は、睡眠剤に関する。
【背景技術】
【０００２】
睡眠剤としては、バルビツール系、非バルビツール系、ベンゾジアゼピン系等の各種のものが知られているが、いずれも神経系に作用するため、副作用が問題になる場合がある。
【０００３】
また、ビタミン剤による治療においては、痴呆治療剤、更年期障害の治療薬、精神安定チューインガムなどがある。
【特許文献１】特開平６−１８３９７１
【特許文献２】特開平１−１３２５２４
【特許文献３】特開平２−２１２４２１
【特許文献４】特表平８−５０２２５９
【発明の開示】
【発明が解決しようとする課題】
【０００４】
ビタミンとミネラルを主成分とする睡眠剤を提供することをその課題とする。
【課題を解決するための手段】
【０００５】
本発明者は、意外にも、ビタミンCとカルシウムを同時に大量服用することにより、睡眠効果があることを見出した。
すなわち、本発明によれば、ビタミンCとカルシウムをそれぞれ500mg以上含有することを特徴とした睡眠剤が提供される。
【発明の効果】
【０００６】
主成分はビタミンとミネラルであり、安全性の高い保険機能食品や健康食品として用いることができる。
【発明を実施するための最良の形態】
【０００７】
本発明において用いるビタミンＣとカルシウムは、健康食品としても用いられている安全性の高いものである。
本発明では、保険機能食品やビタミン剤としても、その許容範囲内において、使用することが可能である。
【０００８】
本発明の睡眠剤 は、前記したビタミンＣとカルシウムとからなるもので、両者の使用剤合は、１：１±４０％であり、ビタミンＣやカルシウムの質、及び吸収効率に応じて適切に決めるのが望ましい。
本発明の睡眠剤 は、必要に応じて、従来のビタミン剤や、健康食品と併用することができる。
本発明の睡眠剤 は、１回当りの摂取量は、５００ｍｇ以上、２０００ｍｇ以下が好ましい。
また、１回の服用量が比較的多いため、粉末剤、又は液剤として適用することが望ましいが、そのほかにも健康食品や、飲料の添加物として含有することも可能である。
本発明の睡眠剤 を用いたときには、その摂取後、３０分から１時間で眠気を催し、その後数時間で、快眠することができる。
【実施例１】
【０００９】
ビタミン類、及び医薬品としては、ビタミンＣ（アスコルビン酸）の服用許容上限は、「なし」であるが、２０００ｍｇ以上を１度に摂取するとお腹を壊す場合があり、一応の上限がある。
また、カルシウムの許容上限は２５００ｍｇであり、前記ビタミンＣとの上限から、薬剤が１：１の割合の場合は、最大で２０００ｍｇづつの計４０００ｍｇを１回の服用量とすることができる。
【実施例２】
【００１０】
保健機能食品においては、ビタミンＣとカルシウムの上限が定めされており、それぞれ1000ｍｇと６００ｍｇであることから、薬剤が１：１の割合の場合は、最大で６００ｍｇづつの計１２００ｍｇを１回の服用量とすることができる。
【産業上の利用可能性】
【００１１】
睡眠効果を有する医薬品、又はビタミン剤や保険機能食品として利用できる。
(57)【要約】【課題】フック掛け用ミシン目付ボックスティッシュを提供する。【解決手段】ボックス裏面の上下及び左右に外側ミシン目を入れてその端々に折り目を入れ、内側には内側ミシン目を入れてその端々に折り目を入れ、両側面の折り畳み用ミシン目の内側に引っ掛け用ミシン目を入れてその端々に折り目を入れたことを特徴とするフック掛け用ミシン目付ボックスティッシュ。【選択図】図１
2006151503.tif 000002
【特許請求の範囲】
【請求項１】
ボックス裏面の上下及び左右に外側ミシン目を入れてその端々に折り目を入れ、内側には内側ミシン目を入れてその端々に折り目を入れ、両側面の折り畳み用ミシン目の内側に引っ掛け用ミシン目を入れてその端々に折り目を入れたことを特徴とするフック掛け用ミシン目付ボックスティッシュ。
【発明の詳細な説明】
【技術分野】
【０００１】  本発明は、ティッシュペーパーのボックスにフック掛け用のミシン目を入れたボックステイッシュのミシン目に関するものである。
【背景技術】
【０００２】  従来、ボックスティッシュのミシン目は取り出し口の他に、押し上げ用と折り畳み用とマグネット板の挟み用があった。
【発明の開示】
【発明が解決しようとする課題】
【０００３】  そのために、次のような問題点があった。
（イ）ティッシュペーパーのボックスを、壁面のフックやＳ字フックに引っ掛けるには        専用のホルダーなどの用具を必要とした。
（ロ）フック掛けや取り外しに手間がかかった。
本発明は、これらの問題点を解決するためになされたものである。
【課題を解決するための手段】
【０００４】  ボックス裏面の上下及び左右に、外側ミシン目を入れてその端々に折り目を入れる。また、内側に内側ミシン目を入れてその端々に折り目を入れる。さらに、両側の折り畳み用ミシン目の内側に引っ掛け用ミシン目を入れてその端々に折り目を入れる。以上を特徴とするフック掛け用ミシン目付ボックスティッシュである。
【発明の効果】
【０００５】  身近な場所にフック類を取り付けるだけで、ボックス入りのティッシュペーパーが他の用具を必要とせずに、きわめて簡単に取り付けることができる。
【発明を実施するための最良の形態】
【０００６】  以下、本発明の実施について説明する。
（イ）ボックス裏面（１）の上下及び左右に外側ミシン目（２）を入れ、端々のつなぎ        目に谷折り状の外側折り目（３）を入れる。その内側には、外側ミシン目（２）        よりも切れやすくした内側ミシン目（４）を入れ、端々のつなぎ目に山折り状の        内側折り目（５）を入れる。
（ロ）ボックスの側面（６）にある折り畳み用ミシン目（７）の内側に、より切れやす        くした引っ掛け用ミシン目（８）を入れ、端々のつなぎ目に山折り状の側面折り        目（９）を入れる。
本発明は、以上のような構成よりなりたっている。
本発明を使用するときはフックの形状や取り付ける場所により、内側ミシン目（４）または引っ掛け用ミシン目（９）を指先で押し込んで穴を開け、裏面引っ掛け部（１０）または側面引っ掛け部（１１）を引き起こしてフック（１２）に引っ掛ける。
また、引っ掛けたボックスをより固定したい場合は、反対側の裏面引っ掛け部（１０）或いは側面引っ掛け部（１１）を引き起こしてフック（１２）や画鋲やセロテープなどにより押さえることができる。
【図面の簡単な説明】
【０００７】
【図１】  本発明の斜視図
【図２】  本発明の拡大図
【図３】  本発明の展開図
【図４】  本発明の使用図
【図５】  本発明の使用図
【符号の説明】
【０００８】  １  ボックス裏面
２  外側ミシン目
３  外側折り目
４  内側ミシン目
５  内側折り目
６  ボックスの側面
７  折り畳み用ミシン目
８  引っ掛け用ミシン目
９  側面折り目
１０  裏面引っ掛け部
１１  側面引っ掛け部
１２  フック
【図１】
2006151503.tif 000003
【図２】
2006151503.tif 000004
【図３】
2006151503.tif 000005
【図４】
2006151503.tif 000006
【図５】
2006151503.tif 000007
(57)【要約】      （修正有）【課題】  一つのものとして、販売するときや、その他の目的や用途のときに、一つとしか、利用されてこなかった。複数の目的や用途の容器を提供する。【解決手段】  さまざまな、目的や用途の容器を、二つなどの、複数の容器にして、さまざまな、形として、あるものなどを、一つとして、商品などどとして、一つのものとして、つくり、利用や使用や販売などができるようにする。又、方法としても、利用できるようにした。【選択図】  図１
2006151506.tif 000002
【特許請求の範囲】
【請求項１】
食品用などで利用される、容器について、飲料水や、その他などで、利用される、さまざな、おおきさや、形や用途や目的などで、利用される、容器について、従来のものは、使用や利用するにあたって、容器もひとつの容器ごとに利用や使用ができるようになっていましたが、本発明は、一つの容器を、二つなどの複数にわけるようにして、その、わけた二つなどの複数の容器を、一つにして、二つなどの複数の容器を、一つのものにして利用などができるようにして、新たに、二つなどの複数にした容器を、一つにして、使用や利用ができるようにしたもの。又、本発明に関連して、口のかずも、一つのものや、二つなどの、複数にできるようにして、中身のある容器などに、利用できるようにした。又、さまざまな、形やおおきさの容器に、本発明を利用できるようにする。又、方法としても、利用できるようにした。
【請求項２】
さまざまな、目的や用途に利用や使用される、家庭用や商業用や工業用や医療用や日用品や農業用や園芸用などの、さまざまな、容器や、産業用やその他に利用や使用される容器に、ついて、従来の一つの容器を、二つなどの複数にできるようにして、その、複数にした容器を、一つなどにして利用などができるようにして、さまざまな、目的や用途に利用や使用ができるようにしたもの。又、本発明は、さまざまな、おおきさや、形の容器について、利用できるようにした。又、本発明に関連して、口のかずも、一つのものや二つなどの、複数にできるようにして、中身のある容器などに、利用できるようにした。又、方法としても、利用できるようにした。
【発明の詳細な説明】
【技術分野】
【０００１】  本発明は、さまざまな、飲料水用や酒用やその他のものの容器についてに関する。
【背景技術】
【０００２】  従来の、さまざまな、容器は、一つのものとして、一つ一つとして、販売され、利用などされてきた。【０００３】  以下、図３  図４  により、従来の容器を、説明する。【０００４】
【特許文献１】
【非特許文献】
【発明の開示】
【発明が解決しようとしている課題】
【０００５】  以上に述べた、従来の容器は、一つとしてしか、利用されてきませんでした、ですので、販売するにあたり、一つずつ、購入して、利用や使用をしていました。このようなことせより、いっかいなどに、二つなどの複数にした、ものを、一つにしたものが、つくられ、同じような目的などのため、利用や使用がされ、購入が、できませんでした。
【０００６】  本発明は、このような、従来の構成が有していた、問題を、解決しようとしたものであり、一つの容器を、二つなどの、複数にしたものであるが、一つとして、利用や使用や販売などが、できるようにしたもの。
【課題を解決するための手段】
【０００７】  そして、本発明は、上記目的を達成するたに、一つとしてしか、利用や使用や販売されていなかったものを、二つなどの、複数にして、それを、又、一つの容器のようにして利用や使用や販売などに、活用できるようにした。又、方法としても、利用できるようにした。
【発明の効果】
【０００８】  新しい感覚のものが、消費者などに、提供できるようになった。
【発明を実施するための最良の形態】
【０００９】  本発明は、さまざまな、目的や用途の容器に利用できるようにして、産業用やその他のものなどに利用できるようにする。
【産業上の利用可能性】
【００１０】  上述したように、本発明は、従来の販売されているように、二つなどの複数にした、容器を、一つのようにして、産業上などに、利用や活用ができるようにした。
【図面の簡単な説明】
【００１１】
【図１】  本発明の容器
【図２】  本発明の容器
【図３】  従来の容器
【図４】  従来の容器
【符号の説明】
【００１２】１      従来の容器
２      従来の容器
３      本発明の容器
４      本発明の容器
【図１】
2006151506.tif 000003
【図２】
2006151506.tif 000004
【図３】
2006151506.tif 000005
【図４】
2006151506.tif 000006
(57)【要約】      （修正有）【課題】  この発明は濡れたタオルで手を洗いたいとか汚れた所を拭き取りたいと思ったときに素早くウェットティッシュを取り出し、用途に併せて使用することができるウェットティッシュ付ティッシュ入れを提供する。【解決手段】  ウェットティッシュ付ティッシュ入れは一つの袋を真ん中から区切り片方にウェットティッシュ、後の片方にティシュを入れる。ウェットティッシュ付ティッシュ入れは広げると左右どちらかにウェットティシュとティッシュが入っている。ウェットティッシュ付ティッシュ入れは折りたたんだ状態でもウェットティッシュとティッシュを取り出し使用する事ができる。【選択図】  図１
2006151508.tif 000002
【特許請求の範囲】
【請求項１】
ウエットティッシュとティッシュ入れはは折たたみできる区切られた一つの袋に入れる  使用するときは袋お広げてつかったり  袋お折りたたんだままそれぞれの用途に併せてウェットティッシュやティッシュお素早く取り出し使用することができる
【発明の詳細な説明】
【考案の詳細な説明】
【０００１】携帯ウエットティッシュとティッシュ入れはは今まで別々に袋からティッシュお取り出し使用していたがこの考案で簡単に両方のティシュがつかえる
【背景技術】従来はウェットティッシュとティッシュはそれぞれの袋に入り一つ一つ取り出し使用していたがこの考案によってウェットティッシュとティッシュが一つの袋の区切られた部分にウェットティッシュとティッシュお入れる携帯ウェットティッシュとティッシュ入れは袋一つお区切りウェットティッシュとティッシュお入れる  袋は折りたためる
【考案が解決しよぅとする課題点】
本案は急にウェットティッシュが欲しいと思ったときに側になかったら気分てきにすぐれない  そのような不便さお無くすために考案したものです
【問題を解決するための手段】
いまその解決手段を図面に追いながら説明すれば１  一つの袋お真ん中から仕切り片方にティッシュもう片方にウェットティッシュおいれる２  ウェットティッシュとティッシュ入れは折りたたんだ状態でウェットティッシュとティッシュお取り出し使用することができる
【図１】
2006151508.tif 000003
【図２】
2006151508.tif 000004
【手続補正書】
【提出日】平成17年5月18日(2005.5.18)
【手続補正１】
【補正対象書類名】明細書
【補正対象項目名】全文
【補正方法】変更
【補正の内容】
【発明の詳細な説明】
【技術分野】
【０００１】本発明は携帯用ティッシュ入れに関する。
【背景技術】
【０００２】従来はウェットティッシュとティッシュはそれぞれの袋に入り一つ一つ取り出し使用していた。
【発明の開示】
【発明が解決しようとする課題】
【０００３】急にウェットティッシュが欲しいと思ったときに側になかったら気分的に優れない。そのような不便さを無くすためのものです。
【課題を解決するための手段】
【０００４】ウェットティッシュとティッシュ入れは折りたたみできる区切られた一つの袋に入れる。使用するときは袋を広げて使ったり袋を折りたたんだままそれぞれの用途に併せてウェットティッシュやティッシュを素早く取り出し使用する事ができる。
【発明の効果】
【０００５】携帯ウェットティッシュとティッシュ入れは今まで別々に袋からティッシュを取り出し使用していたがこの発明で簡単に両方のティッシュが使える。
【発明を実施するための最良の形態】
【０００６】今その解決手段を図面に従いながら説明すれば図  １に示す様に一つの袋を真ん中から仕切り  ３、片方にティッシュもう片方にウェットティッシュを入れる。図  ２はウェットティッシュとティッシュを折りたたんだ状態を示しウェットティッシュとティッシュをそれぞれの取り出し口  １、２  から取り出して使用することができる
【図面の簡単な説明】
【０００７】
【図１】携帯ウェットティッシュ付ティッシュ入れを開いた状態
【図２】携帯ウェットティッシュとティッシュ入れを折りたたんだ状態
【符号の説明】
【０００８】１  ウェットティッシュ取り出し口
２  ティッシュ取り出し口
３  仕切り
【手続補正２】
【補正対象書類名】図面
【補正対象項目名】全図
【補正の内容】
【図１】
2006151508.tif 000005
【図２】
2006151508.tif 000006
(57)【要約】【課題】  従来の紙製容器や紙製容器のようなものや、その他の容器の、口は、一つしかついていませんでした。【解決手段】  従来の紙製容器や紙製容器のようなものや、その他の容器の口を、二つなどの、複数にしたもの。又、方法としても、利用できるようにした。【選択図】図１
2006151505.tif 000002
【特許請求の範囲】
【請求項１】
飲料水用や酒用などや、食品用などやその他に、利用されている、紙製の容器や、その他の容器や、紙せいのようなものの容器や、四角いものの容器や、その他の製品のもので、プラスチック製やその他などの、口がついているものに、もうひとつ、うしろがわにつけたり、その他の、場所につけたりして、ひとつしか、つけられてこなかった、ものを、ふたつにしたりして、複数の口を、つけることにしたもの。又、容器は、さまざまな、形やおおきさのものに、ついて、本発明を利用できるようにして、又、口の数が一つの紙製容器や紙製容器のようなものなどの、容器の口を、二つなどの、複数にできるようにする。又、口のおおきさや形は、さまざまな、おおきさや形のものにできるようにする。又、方法としても、利用できるようにした。
【請求項２】
さまざまな、用途や目的などに、利用される、紙製容器や紙製容器のようなものや、その他などや、家庭用や工業用や商業用や医療や日用品や農業用や園芸用などやその他の用途に、利用されるさまざまな容器や、産業用や、その他の用途や目的に使用される容器で、紙製容器や、紙製のようなものの容器や、その他の容器や、その他のものの製品などの容器について、プラスチック製やその他のものやその他の製品などの口を、従来は、一つだったものを、二つなどの複数の数などにして、紙製容器や紙製のようなものや、その他の製品の容器や、そのたの製品の容器などや、その他のものの、製品の容器などの、プラスチック製やその他のものやその他の製品などの容器の口を、複数にしたもの。又、容器は、さまざまな、形やおおきさのものに、ついて、本発明を利用できるようにした。又、口のおおきさや形は、さまざまな、おおきさや形のものにできるようにした。又、方法としても、利用できるようにした。
【発明の詳細な説明】
【技術分野】
【０００１】  本発明は、さまざまな、食品用や飲料水用や酒用などの、紙製容器や紙製のようなものや、その他の容器に、ついている、プラスチック製その他製やその他の口などやその他の口に、関する。
【背景技術】
【０００２】  従来の、さまざまな、目的や用途の、さまざまな、おおきさや、形の、紙製容器や紙製容器のようなものの容器や、その他の容器についている、プラスチック製その他のものなどのものは、一つしかつけられ、利用とれてきませんでした。【０００３】  以下、図２  図３により、従来の口がついた、容器をせつめいする。【０００４】
【特許文献１】
【非特許文献】
【発明の開示】
【０００５】  以上に述べた、従来の紙製容器や紙製容器のようなもののや、その他製やその他などのの容器のものの、口は、一つしかありませんでした。そして、つかいずらいところもありました。
【０００６】  本発明は、このような、従来の構成が有していた、問題を解決しようとしたものであり、紙製容器や紙製容器のようなものや、その他の製品の容器のようなものや、その他の容器についているなどで、口の数を二つなどの、複数にしたものにできるようにした。
【課題を解決するための手段】
【０００７】  そして、本発明は、上記目的を達成するために、紙製容器や紙製容器のようなものやその他の製品などで、容器についている、プラスチック製やその他製のものや、その他などのものの、口を、二つなどの、複数にすることにできるようにした。又、口の数はさまざまに、できるようにして、さまざまな、位置や所につけられるようにして、利用できるようにした。又、口についての、材質や品質などは、さまざまな、材質や品質などにより、製品のものの、口として、利用できるようにした。
【発明の効果】
【０００８】  上述のように、本発明の紙製容器や紙製容器のようなものや、その他の容器などの、口を二つやその他の数にすることにより、従来になく、つかいがってのいいものが、提供できるようになり、新しい感覚のものが、提供できるようになった。
【本発明を実施するための、最良の形態】
【０００９】  本発明は、従来の一つの口のように、さまざまな、目的や用途について、利用するときに、利用できるようにした。
【産業上の利用可能性】
【００１０】  上述したように、本発明の二つなどの、複数にした、口のついた、紙製容器や紙製容器のようなものや、その他の容器のものは、つかいやすくなり、産業用などに、利用されるようになり、新しいものとして、提供できるようになった。
【図面の簡単な説明】
【００１１】
【図１】  本発明の平面図
【図２】  従来の口のついた容器の平面図
【図３】  従来の口のついた容器の平面図
【符号の説明】
【００１２】１      本発明の容器
２      従来の容器
３      従来の容器
【図１】
2006151505.tif 000003
【図２】
2006151505.tif 000004
【図３】
2006151505.tif 000005